(57)【要約】      （修正有）【課題】コスト高を招来することなく、患者に与える苦痛が少なく、しかも生体組織を傷つけ難いようにしたカテーテルを提供する。【解決手段】軟質管状の本体先端部分１０Ａが円弧曲面の断面外形を有する環状をなし、該環状先端部分が外壁面に連通穴１０Ｂを備えた中空構造を有する一方、該中空構造部分には流通路が連通されており、該流通路の他端はジェル供給手段１２に至り、上記中空構造部分にはジェルが供給されて連通穴から患者の体腔、管状器官あるいは血管の粘膜に向けて吐出又は漏出されるようになっている。【選択図】図１
2018166829.tif 000002
【特許請求の範囲】
【請求項１】
軟質管状の本体（１０）の先端部分（１０Ａ）が円弧曲面の断面外形を有する環状をなし、該環状先端部分（１０Ａ）が外壁面に連通穴を備えた中空構造を有する一方、該中空構造部分には流通路（１０Ｂ）が連通されており、該流通路（１０Ｂ）の他端はジェル供給手段（１２、１４）に至り、上記中空構造部分にはジェル（１５）が供給されて連通穴（１０Ｂ）から患者の体腔、管状器官あるいは血管の粘膜に向けて吐出又は漏出されるようになっていることを特徴とするカテーテル。
【請求項２】
軟質管状の本体（１０）先端部分（１０Ａ）が円弧曲面の断面外形を有する環状をなし、該環状先端部分（１０Ａ）が外壁面に連通穴を備えた中空構造をなす一方、該中空構造部分にジェル（１５）が充満されており、環状先端部分（１０Ａ）が患者の体腔、管状器官あるいは血管の粘膜と接触されることによる圧力を受けてジェルが連通穴（１０Ｂ）から患者の体腔、管状器官あるいは血管の粘膜に向けて吐出又は漏出されるようになっていることを特徴とするカテーテル。
【請求項３】
軟質管状の本体（１０）先端部分（１０Ａ）が円弧曲面の断面外形を有する環状をなし、該環状先端部分（１０Ａ）が中空構造を有して患者の体腔、管状器官あるいは血管の粘膜と接触されたときの圧力によって弾性変形され、接触圧力が軽減されるようになっていることを特徴とするカテーテル。
【発明の詳細な説明】
【技術分野】
【０００１】
この発明はカテーテルに関し、特にコスト高を招来することなく、患者に与える苦痛が少なく、しかも生体組織を傷つけ難いようにしたカテーテルに関する。
【背景技術】
【０００２】
カテーテルは胸腔や腹腔などの体腔、消化管や尿管の管状器官、あるいは血管などに挿入され、体液の排出、薬液などの注入などの医療に用いられている。
【０００３】
近年、カテーテルの高機能化が進み、血管の狭窄部を拡張する経皮的血管形成術に用いられる血管拡張用バルーンカテーテル、導尿と膀胱温測定が同時に行える温度センサー付き導尿バルーンカテーテル、心臓の内部に留置し心拍出量測定に用いられるサーモダイリューションカテーテル、動注療法や血管造影を行うための血管内処理診断用カテーテルなどの応用がなされている。
【０００４】
ところで、カテーテルは体腔、管状器官あるいは血管などに挿入されるので、患者に与える苦痛が少ないこと、生体組織を傷つけないことなどが要求される。
【０００５】
従来、特殊な材質を使用してカテーテルの挿通性や柔らかさを向上させ、患者に与える苦痛を少なくするとともに、生体組織を傷つけ難くしたカテーテルが提案されている（特許文献１）。
【０００６】
また、先端部分を丸い形状とし、生体組織を傷つけ難くしたカテーテルが提案されている（特許文献２、特許文献３）。
【先行技術文献】
【特許文献】
【０００７】
【特許文献１】特開平０６−７４２７号公報
【特許文献２】特開平０５−２３７１９１号公報
【特許文献３】特表平０９−５００３１３号公報
【発明の開示】
【発明が解決しようとする課題】
【０００８】
しかし、特許文献１記載のカテーテルでは使用できる材料が限定されてコスト高になる一方、特許文献２、３記載のカテーテルでは高い形状精度が求められてコスト高になるという問題があった。
【０００９】
本発明はかかる問題点に鑑み、コスト高を招来することなく、患者に与える苦痛が少なく、しかも生体組織を傷つけ難いようにしたカテーテルを提供することを課題とする。
【課題を解決するための手段】
【００１０】
そこで、本発明に係るカテーテルは、軟質管状の本体先端部分が円弧曲面の断面外形を有する環状をなし、該環状先端部分が外壁面に連通穴を備えた中空構造を有する一方、該中空構造部分には流通路が連通されており、該流通路の他端はジェル供給手段に至り、上記中空構造部分にはジェルが供給されて連通穴から患者の体腔、管状器官あるいは血管の粘膜に向けて吐出又は漏出されるようになっていることを特徴とする。
【００１１】
本発明の特徴の１つはカテーテルの本体先端部分に円弧曲面の断面外形を有する環状部分を設け、環状部分を中空構造となし、この中空構造部分にジェルを供給して連通穴から体腔、管状器官あるいは血管の粘膜に向けて吐出又は漏出させるようにした点にある。
これにより、環状部分の円弧曲面が体腔、管状器官あるいは血管の粘膜に接触するとともに、ジェルが環状部分と粘膜との間に介在して滑らかに接触させることになるので、患者に与える苦痛が少なく、しかも生体組織を傷つけ難くできる。
しかも、特殊な材料を用いる必要がなく、汎用の軟質材料を用いればよく、しかも高い形状精度が求められることがないので、コスト高を招来することもない。
【００１２】
ここで、カテーテルの材料にはシリコンゴム、ポリ塩化ビニル、ポリエチレン、ポリプロピレン、ポリブテン、フッ素樹脂、ポリエーテルポリエステル、ポリエーテルポリアミド、ポリウレタン、ポリエステル、ナイロン、熱可塑性エラストマー、これらの樹脂をベースとしたポリマーアロイあるいはポリマーブレンドを用いることもできる。また、ジェル供給手段はシリンジ構造であってもよく、ジェルの貯蔵部を押すことによってジェルを供給する方式でもよい。
【００１３】
また、ジェル供給手段や流通路によってジェルを吐出又は漏出させるのではなく、環状部分が体腔、管状器官あるいは血管の粘膜と接触することによる圧力を受け、ジェルを徐々に吐出又は漏出させる方式であっても上記と同様の作用効果を奏する。
【００１４】
本発明に係るカテーテルは、軟質管状の本体先端部分が円弧曲面の断面外形を有する環状をなし、該環状先端部分が外壁面に連通穴を備えた中空構造をなす一方、該中空構造部分にジェルが充満されており、環状部分が患者の体腔、管状器官あるいは血管の粘膜と接触されることによる圧力を受けてジェルが連通穴から患者の体腔、管状器官あるいは血管の粘膜に向けて吐出又は漏出されるようになっていることを特徴とする。
【００１５】
さらに、体腔、管状器官あるいは血管の粘膜と接触されたときの小さな圧力によって、中空環状部分が弾性変形し、患者の体腔、管状器官あるいは血管の粘膜に与える苦痛を少なくするとともに、生体組織を傷つけ難くすることができる。
【００１６】
本発明に係るカテーテルは、軟質管状の本体先端部分が円弧曲面の断面外形を有する環状をなし、該環状部分が中空構造を有して患者の体腔、管状器官あるいは血管の粘膜と接触されたときの圧力によって弾性変形され、接触圧力が軽減されるようになっていることを特徴とする。
【図面の簡単な説明】
【００１７】
【図１】本発明に係るカテーテルの好ましい実施形態を示す断面構成図である。
【図２】上記実施形態における縦断面（ａ）及び正面（ｂ）を示す図である
【図３】第２の実施形態を示す断面構成図である。
【図４】第３の実施形態における使用前（ａ）及び使用後（ｂ）の状態を示す図である。
【図５】第４の実施形態を示す断面構成図である。
【発明を実施するための形態】
【００１８】
以下、本発明を図面に示す具体例に基づいて詳細に説明する。図１ないし図２は本発明に係るカテーテルの好ましい実施形態を示す。図において、カテーテルの本体１０は軟質材料、例えばシリコンゴムを用いて円管状に製造され、本体１０の先端部分１０Ａは円弧曲面の断面外形を有する環状に形成されている。
【００１９】
この環状先端部分１０Ａは中空構造をなし、その外壁面には複数の小径連通穴１０Ｂが穿設されている。また、中空構造部分１０Ｃには流通路１１が連通され、流通路１１の他端側にはシリンジ（ジェル供給手段）１２が接続され、シリンジ１２、流通路１１及び環状先端部１０Ａ内にはジェル１５が充満されており、シリンジ１２を操作することによって環状先端部１０Ａ内にジェル１５が供給され、連通穴から吐出又は漏出されるようになっている。
【００２０】
カテーテルを体腔、管状器官あるいは血管内に挿入する場合、シリンジ１２を操作しながらカテーテルを体腔、管状器官あるいは血管内に挿入する。すると、カテーテルの本体１０の環状先端部分１０Ａの連通穴１０Ｂから体腔、管状器官あるいは血管の粘膜に向けてジェル１５が吐出又は漏出され、粘膜とカテーテルの環状先端部１０Ａとの間にジェル１５が介在されることとなる。
【００２１】
その結果、断面外形が円弧曲面の環状先端部分１０Ａが体腔、管状器官あるいは血管の粘膜に接触するとともに、ジェル１５が環状先端部分１０Ａと粘膜との間に介在して滑らかに接触させることになるので、患者に与える苦痛が少なく、しかも生体組織を傷つけ難くできる。
【００２２】
しかも、特殊な材料を用いる必要がなく、汎用の軟質材料を用いればよく、しかも高い形状精度が求められることがないので、コスト高を招来することもない。
【００２３】
図３は第２の実施形態を示し、図において図１及び図２と同一符号は同一又は相当部分を示す。本例ではジェル供給手段としてカテーテルの本体１０の他端側に中空膨出部分１４が形成されるとともに、カテーテルの本体１０の外壁内には流通路１３が形成され、流通路１３は中空膨出部１４の中空部分とカテーテルの本体１０の環状先端部分１０Ａの中空構造部分とに連通され、中空膨出部１４、流通路１３及びカテーテル本体１０の環状先端部分１０Ａにはジェル１５が充満され、中空構造部分には連通穴１０Ｂを閉鎖するキャップ１６が嵌められ、キャップ１６を外し、中空膨出部分１４が押されることによってジェル１５が中空構造部分の連通穴１０Ｂから吐出又は漏出されるようになっている。
【００２４】
図４は第３の実施形態を示す。図において図１ないし図３と同一符号は同一又は相当部分を示す。本例では図４（ａ）に示されるようにカテーテルの本体１０の先端部分１０Ａは円弧曲面の断面外形を有する環状に形成され、環状先端部分１０Ａは中空構造をなし、その外壁面には複数の小径連通穴１０Ｂが穿設され、環状先端部分１０Ａは中空構造部分にはジェル１５が充満されている一方、環状先端部分１０Ａには連通穴１０Ｂを閉鎖するキャップ１６が嵌められている。
【００２５】
キャップ１６を外し、カテーテルの本体１０が体腔、管状器官あるいは血管内に挿入すると、カテーテルの本体１０の環状先端部分１０Ａが体腔、管状器官あるいは血管の粘膜に接触して圧力を受け、これによって図４（ｂ）に示されるように、連通穴１０Ｂから体腔、管状器官あるいは血管の粘膜に向けてジェル１５が吐出又は漏出され、粘膜とカテーテルの環状先端部分１０Ａとの間にジェル１５が介在されることとなる。
【００２６】
図５は第４の実施形態を示す。図において図１ないし図４と同一符号は同一又は相当部分を示す。本例ではカテーテルの本体１０の先端部分１０Ａは円弧曲面の断面外形を有する環状に形成され、環状先端部分１０Ａは中空構造をなしており、カテーテルの本体１０が体腔、管状器官あるいは血管内に挿入すると、カテーテルの本体１０の環状先端部分１０Ａが体腔、管状器官あるいは血管の粘膜に接触して圧力を受けると、環状先端部分１０Ａが弾性変形して圧力を吸収又は軽減する。
【００２７】
その結果、断面外形円弧曲面の環状先端部分１０Ａが体腔、管状器官あるいは血管の粘膜に接触するとともに、環状先端部分１０Ａが接触圧力を吸収し軽減することになるので、患者に与える苦痛が少なく、しかも生体組織を傷つけ難くできる。
【符号の説明】
【００２８】
１０      カテーテル本体
１０Ａ      環状先端部分
１０Ｂ      連通穴
１１、１３      流通路
１２      シリンジ（ジェル供給手段）
１４      膨出部分（ジェル供給手段）
１５      ジェル
【図１】
2018166829.tif 000003
【図２】
2018166829.tif 000004
【図３】
2018166829.tif 000005
【図４】
2018166829.tif 000006
【図５】
2018166829.tif 000007